(57)【要約】【課題】主情報を送信する波長とは別の波長を用いることなく、主情報以外の情報を送受信することができる。【解決手段】送信ノード１０は、通信システム上のいずれかの送信ノード１０の動作状況を示す監視情報を強度変調方式によって強度情報に変調する伝達情報強度変調部１０２と、送信ノード１０から受信ノード２０に送信される光信号である主情報が強度に依存しない変調方式で変調された主情報の光信号の強度を、伝達情報強度変調部１０２が変調した強度情報に基づいて変動させ、強度を変動させた光信号を出力する光増幅部１０６とを備える。受信ノード２０は、送信ノード１０の光増幅部１０６が出力する光信号を、強度復調方式によって復調する強度信号復調部２０４を備える。【選択図】図２
2011146863.tif 000002
【特許請求の範囲】
【請求項１】
送信装置と受信装置とを備えた通信システムであって、
前記送信装置は、
前記通信システム上のいずれかの送信装置の動作状況を示す監視情報を強度変調方式によって強度情報に変調する強度変調部と、
前記送信装置から前記受信装置に送信される光信号である主情報が強度に依存しない変調方式で変調された主情報の光信号の強度を、前記強度変調部が変調した前記強度情報に基づいて変動させ、当該強度を変動させた光信号を出力する光増幅部と、
を備え、
前記受信装置は、
前記送信装置の光増幅部が出力する前記光信号を、強度復調方式によって復調する強度信号復調部
を備えたことを特徴とする通信システム。
【請求項２】
送信装置と受信装置とを備えた通信システムの送信装置であって、
前記通信システム上のいずれかの送信装置の動作状況を示す監視情報を強度変調方式によって強度情報に変調する強度変調部と、
前記送信装置から前記受信装置に送信される光信号である主情報が強度に依存しない変調方式で変調された主情報の光信号の強度を、前記強度変調部が変調した前記強度情報に基づいて変動させ、当該強度を変動させた光信号を出力する光増幅部と、
を備えたことを特徴とする送信装置。
【請求項３】
送信装置と受信装置とを備えた通信システムの受信装置であって、
前記通信システム上のいずれかの送信装置の動作状況を示す監視情報が強度変調方式によって変調された強度情報に基づいて強度が変動された光信号であり前記送信装置から前記受信装置に送信される光信号である主情報が強度に依存しない変調方式で変調された主情報の光信号を、強度復調方式で復調する強度信号復調部
を備えたことを特徴とする受信装置。
【請求項４】
前記主情報の光信号を２つに分配する光信号分配部と、
前記分配部が分配する前記主情報の光信号のうち、一方の前記主情報の光信号の強度が一定となるように、当該主情報の光信号の強度を変動させる光増幅部と、
を備え、
前記強度信号復調部は、前記光信号分配部が分配する他方の前記主情報の光信号を、前記強度復調方式で復調する
ことを特徴とする請求項３に記載の受信装置。
【発明の詳細な説明】
【技術分野】
【０００１】
本発明は、通信システム、送信装置および受信装置に関する。
【背景技術】
【０００２】
ＯＡＤＭ（Ｏｐｔｉｃａｌ  Ａｄｄ／Ｄｒｏｐ  Ｍｕｌｔｉｐｌｅｘｅｒ、光分岐挿入装置）系装置では、各ノードの装置情報や警報をＮＭＳ（Ｎｅｔｗｏｒｋ  Ｍａｎａｇｅｍｅｎｔ  Ｓｙｓｔｅｍ、ネットワーク管理システム）に送信し、ＮＭＳがネットワークの監視および制御を行っている。この場合、各ノードの装置情報や警報をＮＭＳまで送信するために、ノードの設置拠点毎に専用のネットワークを構築したり、別途回線を用意したりする必要がある。装置情報や警報伝送用の回線数を削減するため、複数あるノードの装置情報や警報情報をノード間で情報伝達して特定のノードに集約し、特定のノードがＮＭＳに送信する方式がある。
【０００３】
装置情報や警報伝送用の回線数の削減するために、特定のノードに装置情報や警報情報を集約してＮＭＳに送信する方法では、光を増幅する機能のみを有したノードの情報も伝達する必要があり、主情報とは別の波長の情報伝達専用レーザを用意して、ＯＡＤＭノード間の警報情報を伝送している。この波長は一般的にＯＳＣ(Ｏｐｔｉｃａｌ  Ｓｕｐｅｒｖｉｓｏｒｙ  Ｃｈａｎｎｅｌ)と呼ばれている。
【０００４】
図１０は、主情報とは別の波長の情報伝達専用レーザを用いた送信ノードと受信ノードの構成を示した図である。この図を用いて、送信ノード５０が、装置情報や警報などの伝達情報を受信ノード６０に送信する方法について説明する。
【０００５】
伝達情報受付部５０１は監視部７００から伝達情報を受け付け、伝達情報変調部５０２に入力する。伝達情報変調部５０２は、伝達情報受付部５０１から入力された伝達信号を変調する。レーザダイオード５０３は、伝達情報変調部５０２にて変調された伝達情報を光信号に変換する。光波長合波部５０８は、レーザダイオード５０３が変換した光信号と、光波長多重部５０６が多重化した光信号を光増幅部５０７が増幅した光信号とを合波する。送信ノード５０は光波長合波部５０８が合波した光信号を受信ノード６０に送信する。
【０００６】
光信号分波部６０１は、送信ノードから送信された光信号から、レーザダイオード５０３が変換した光信号を分波して、受光素子６０２に入力する。受光素子６０２は、レーザダイオード５０３が変換した光信号を電気信号に変換し、伝達情報復調部６０３に入力する。伝達情報復調部６０３は、受光素子６０２から入力された電気信号を復調する。伝達情報検知部６０４は、伝達情報復調部６０３が復調した信号に基づいて、伝達情報を受信する。
【０００７】
すなわち、送信ノード５０は、主情報を送信する光信号の波長とは異なる波長の光信号に伝達情報を変換し、主情報を送信する光信号と伝達情報を変換した光信号とを合波して受信ノード６０に送信する。また、受信ノード６０は、送信された光信号から伝達情報を変換した光信号を分波して伝達情報を受信する。
【先行技術文献】
【特許文献】
【０００８】
【特許文献１】特開平３−２１４９３６号公報
【特許文献２】特許第３５０３６１５号公報
【発明の概要】
【発明が解決しようとする課題】
【０００９】
しかしながら、上述した方法により送信ノード５０が装置情報や警報などの伝達情報を受信ノード６０に送信する場合には、装置情報や警報伝送用の波長を本来伝送すべき主情報を送信するための波長とは別に確保する必要があり、レーザダイオード５０３と、光波長合波部５０８と、光信号分波部６０１とが必要となる。また、光波長合波部５０８と光信号分波部６０１とにより、本来伝送すべき主情報を送信するための光信号の透過損失が発生してしまう。また、特許文献１，２においても、同様の問題がある。
【００１０】
本発明は、主情報を送信する波長とは別の波長を用いることなく、主情報以外の情報を送受信することができる通信システム、送信装置および受信装置を提供することを目的とする。
【課題を解決するための手段】
【００１１】
本発明は、送信装置と受信装置とを備えた通信システムであって、前記送信装置は、前記通信システム上のいずれかの送信装置の動作状況を示す監視情報を強度変調方式によって強度情報に変調する強度変調部と、前記送信装置から前記受信装置に送信される光信号である主情報が強度に依存しない変調方式で変調された主情報の光信号の強度を、前記強度変調部が変調した前記強度情報に基づいて変動させ、当該強度を変動させた光信号を出力する光増幅部と、を備え、前記受信装置は、前記送信装置の光増幅部が出力する前記光信号を、強度復調方式によって復調する強度信号復調部を備えたことを特徴とする通信システムである。
【００１２】
また、本発明は、送信装置と受信装置とを備えた通信システムの送信装置であって、前記通信システム上のいずれかの送信装置の動作状況を示す監視情報を強度変調方式によって強度情報に変調する強度変調部と、前記送信装置から前記受信装置に送信される光信号である主情報が強度に依存しない変調方式で変調された主情報の光信号の強度を、前記強度変調部が変調した前記強度情報に基づいて変動させ、当該強度を変動させた光信号を出力する光増幅部と、を備えたことを特徴とする送信装置である。
【００１３】
また、本発明は、送信装置と受信装置とを備えた通信システムの受信装置であって、前記通信システム上のいずれかの送信装置の動作状況を示す監視情報が強度変調方式によって変調された強度情報に基づいて強度が変動された光信号であり前記送信装置から前記受信装置に送信される光信号である主情報が強度に依存しない変調方式で変調された主情報の光信号を、強度復調方式で復調する強度信号復調部を備えたことを特徴とする受信装置である。
【００１４】
また、本発明は、前記主情報の光信号を２つに分配する光信号分配部と、前記分配部が分配する前記主情報の光信号のうち、一方の前記主情報の光信号の強度が一定となるように、当該主情報の光信号の強度を変動させる光増幅部と、を備え、前記強度信号復調部は、前記光信号分配部が分配する他方の前記主情報の光信号を、前記強度復調方式で復調することを特徴とする受信装置である。
【発明の効果】
【００１５】
本発明によれば、送信装置の強度変調部は、監視情報を強度変調方式によって強度情報に変調する。また、送信装置の光増幅部は、主情報が強度に依存しない変調方式で変調された主情報の光信号の強度を、強度変調部が変調した強度情報に基づいて変動させ、強度を変動させた光信号を出力する。また、受信装置の強度信号復調部は、送信装置の光増幅部が出力する光信号を、強度復調方式によって復調する。これにより、本発明は、主情報を送信する波長とは別の波長を用いることなく、主情報以外の情報を送受信することができる。
【図面の簡単な説明】
【００１６】
【図１】本発明の一実施形態における光通信システムの構成を示した概略図である。
【図２】本実施形態における送信ノードの構成と受信ノードの構成とを示したブロック図である。
【図３】本実施形態における警報監視情報を強度変調方式で変調した光信号の出力レベルを示したグラフである。
【図４】本実施形態における主情報を位相変調方式で変調した光信号の出力レベルと位相状態とを示したグラフである。
【図５】本実施形態において、警報監視情報を強度変調方式で変調した光信号の出力レベルに応じて変動させた、主情報を位相変調方式で変調した光信号の出力レベルと位相状態とを示したグラフである。
【図６】本実施形態における送信ノードが警報監視情報と主情報とを送信する光信号の位相と出力レベルとを示したグラフである。
【図７】本実施形態における送信ノードが警報監視情報と主情報とを送信する光信号の位相と出力レベルとを示したグラフである。
【図８】本実施形態における送信ノードと受信ノードとの動作手順を示したフローチャートである。
【図９】本実施形態における送信ノードと受信ノードとの動作手順を示したフローチャートである。
【図１０】従来の送信ノードの構成と受信ノードの構成を示した概略図である。
【発明を実施するための形態】
【００１７】
以下、本発明の一実施形態について図面を参照して説明する。図１は、本実施形態における光通信システムの構成を示した概略図である。図示する例では、光通信システムは、ノード１〜４と、ＯｐＳ（Ｏｐｅｒａｔｉｏｎ  Ｓｙｓｔｅｍｓ）サーバ５とを含んでいる。ノード１〜４は、主情報を送受信ならびに中継する光信号の中継を行う装置である。主情報は、送信元のノード１〜４から送信先のノード１〜４に送信する情報である。
【００１８】
ノード３は、ノード２またはノード４に対して自装置の警報監視情報を送信する。警報監視情報（監視情報）は、ノード１〜４の動作状況（装置状態や警報など）を示す監視情報である。また、ノード２，４は、ノード１に対して自装置の警報監視情報とノード３の警報監視情報とを送信する。また、ノード１は、自装置の警報監視情報と、ノード２〜４の警報監視情報とをＯｐＳサーバ５に送信する。ＯｐＳサーバ５は、ノード１から送信されるノード１〜４の警報監視情報を受信し、ノード１〜４の稼働状況や障害発生などを一元管理する装置である。
【００１９】
ノード１は、ノード２，４と光ファイバ１０１，１０５によって接続されており、光信号を用いてノード２，４に対してデータを送信する。ノード２は、ノード１，３と光ファイバ１０８，１０２によって接続されており、光信号を用いてノード１，３に対してデータを送信する。ノード３は、ノード２，４と光ファイバ１０７，１０３によって接続されており、光信号を用いてノード２，４に対してデータを送信する。ノード４は、ノード１，３と光ファイバ１０４，１０６によって接続されており、光信号を用いてノード１，３に対してデータを送信する。また、ノード１とＯｐＳサーバ５とは、ＤＣＮ６（Ｄａｔａ  Ｃｏｍｕｎｉｃａｔｉｏｎ  Ｎｅｔｗｏｒｋ）によって、互いに情報の送受信を行う。
【００２０】
次に、ノード１〜４の構成について説明する。以下、主情報と警報監視情報とを送信するノード１〜４を送信ノードとし、受信するノード１〜４を受信ノードとして説明する。ノード１〜４は、送信ノードと受信ノードとの両方の構成を備えている。例えば、ノード１がノード２に主情報と警報監視情報とを送信する場合、ノード１は送信ノードであり、ノード２は受信ノードである。また、ノード２がノード１に主情報と警報監視情報とを送信する場合、ノード２は送信ノードであり、ノード１は受信ノードである。
【００２１】
図２は、本実施形態における送信ノード１０の構成と受信ノード２０の構成とを示したブロック図である。図示する例では、送信ノード１０は、監視部３００と、伝達情報受付部１０１と、伝達情報強度変調部１０２と、増幅利得調整部１０３と、光位相情報送信部１０４と、光波長多重部１０５と、光増幅部１０６とを備えている。
【００２２】
監視部３００は、自装置の監視および制御を行う。伝達情報受付部１０１は、受信ノード２０に伝達する情報に、開始と終了を示す情報を付加する。伝達情報強度変調部１０２は、伝達する情報を強度変調方式で変調する。例えば、伝達信号を強度情報に変換する方法としては、伝達信号「１」を強度信号「強」とし、伝達信号「０」を強度信号「弱」とする。増幅利得調整部１０３は、入力された強度信号に基づいて、光増幅部１０６の利得を調整する。例えば、入力された強度信号が「強」の場合、増幅利得調整部１０３は、光増幅部１０６の利得を高く調整する。また、入力された強度信号が「弱」の場合、増幅利得調整部１０３は、光増幅部１０６の利得を低く調整する。光位相情報送信部１０４は、他のノードに送信する主情報を位相変調方式で変調する。光波長多重部１０５は、複数種類の波長の光信号を１つの光信号に多重化する。光増幅部１０６は、光信号の強度を増幅する。
【００２３】
受信ノード２０は、監視部３００と、光信号分配部２０１と、受光素子２０２と、強度認識部２０３と、強度信号復調部２０４と、伝達情報検知部２０５と、増幅利得調整部２０６と、光増幅部２０７と、光波長分離部２０８と、光位相情報受信部２０９とを備えている。
【００２４】
光信号分配部２０１は、送信ノード１０から送信される光信号を２つに分配する。受光素子２０２は、光信号を電気信号に変換する。強度認識部２０３は、光信号の強度を認識する。強度信号復調部２０４は、強度信号を伝達された情報に復調する。伝達情報検知部２０５は、伝達された情報を検知する。増幅利得調整部２０６は、光増幅部２０７の利得を調整する。光増幅部２０７は、光信号を増幅する。光波長分離部２０８は、多重化されている光信号を複数種類の波長毎に分離する。光位相情報受信部２０９は、自装置宛に送信された情報を受信する。
【００２５】
次に、本実施形態における警報監視情報の変調方式について説明する。本実施形態では、送信ノード１０は、警報監視情報を強度変調方式で変調して受信ノード２０に送信する。すなわち、送信ノード１０は、光の強弱にて警報監視情報（デジタル情報）を送信する。図３は、本実施形態における警報監視情報を強度変調方式で変調した光信号の出力レベルを示したグラフである。図では、ＮＲＺ符号化方式にて情報を伝達する例を示しており、横軸は時間を示し、縦軸は出力レベルを示している。出力レベルが高い信号は「１」のｂｉｔを示し、出力レベルが低い信号は「０」のｂｉｔを示す。このグラフが示す警報監視情報は、「１０１０」である。
【００２６】
次に、本実施形態における主情報の変調方式について説明する。本実施形態では、送信ノード１０は、主情報を位相変調方式で変調して受信ノード２０に送信する。図４は、本実施形態における主情報を位相変調方式で変調した光信号の出力レベルと位相状態とを示したグラフである。図示する例では、横軸は時間を示し、縦軸は出力レベルを示している。また、位相状態が「０」である信号は「０」のｂｉｔを示し、位相状態が「π」である信号は「１」のｂｉｔを示す。このグラフが示す主情報は、「０１０１１０１１００」である。主情報を変調した光信号の出力レベルは一定である。なお、主情報の変調方式は、位相変調方式に限らず、強度変調以外の変調方式であればどのような変調方式を用いてもよい。
【００２７】
次に、本実施形態における主情報と警報監視情報との送信方法について説明する。本実施形態では、主情報を位相変調方式（強度変調方式以外の変調方式）で変調しているため、主情報を変調した光信号の出力レベルが変動しても主情報が表す情報は変化しない。そこで、本実施形態では、送信ノード１０は、主情報を変調した光信号の出力レベルを変動させて、警報監視情報を送信する。これにより、送信ノード１０は、主情報を送信するための波長とは別の波長を用いることなく、警報監視情報を送信することができる。
【００２８】
図５は、本実施形態において、警報監視情報を強度変調方式で変調した光信号の出力レベルに応じて変動させた、主情報を位相変調方式で変調した光信号の出力レベルと位相状態とを示したグラフである。図示する例では、横軸は時間を示し、縦軸は出力レベルを示している。また、位相状態が「０」である信号は「０」のｂｉｔを示し、位相状態が「π」である信号は「１」のｂｉｔを示す。このグラフの主情報は、「０１０１１０１１００」である。
【００２９】
また、主情報を変調した光信号の出力レベルは、警報監視情報を変調した光信号の出力レベルに応じて変動している。主情報を変調した光信号の出力レベルが閾値以上である信号は「１」のｂｉｔを示し、主情報を変調した光信号の出力レベルが閾値未満である信号は「０」のｂｉｔを示す。閾値は、光信号の出力レベルの高い値と低い値の平均値（中間の値）など、主情報を変調した光信号の出力レベルの高低を判定することができる値である。図示するグラフの警報監視情報は、「１０１０」である。なお、主情報を変調した光信号の出力レベルの変動範囲は、出力レベルの高低を判定できる範囲であればよい。
【００３０】
次に、警報監視情報の具体例について説明する。本実施形態では、警報監視情報の開始を示す信号（スタートビット）は、「０１０１００１」である。また、警報監視情報の終了を示す信号（エンドビット）は、「００１１０１０」である。受信ノード２０が、主情報を送信する光信号の出力レベルの変動は警報監視情報を強度変調した変動と自然レベル変動とのどちらであるかを識別するために、送信ノード１０はスタートビットとエンドビットとを付加する。
【００３１】
図６、図７は、本実施形態における送信ノード１０が警報監視情報と主情報とを送信する光信号の位相と出力レベルとを示したグラフである。図示する例では、横軸は時間を示し、縦軸は出力レベルを示している。位相状態が「０」である信号は「０」のｂｉｔを示し、位相状態が「π」である信号は「１」のｂｉｔを示す。出力レベルが閾値以上である信号は「１」のｂｉｔを示し、出力レベルが閾値未満である信号は「０」のｂｉｔを示す。図６および図７において、符号（ａ）が主情報を示しており、符号（ｂ）が警報監視情報を示している。
【００３２】
なお、図６に示した例では、主情報を３ビット送信する毎に、警報監視情報を１ビット送信しているが、それぞれ独立した情報であるため、同期する必要はない。例えば、図７に示すように、主情報を送信するタイミングと警報監視情報を送信するタイミングとが異なるタイミングでもよい。
【００３３】
なお、図４〜図７では、主情報を変調した光信号が１波長の場合を例としているが、実際は、主情報を強度変調方式以外の方式で変調した光信号が波長多重されている。
【００３４】
次に、本実施形態におけるノード１〜４間での主情報と警報監視情報との送信方法について説明する。図８、図９は、本実施形態における送信ノード１０と受信ノード２０との動作手順を示したフローチャートである。ステップＳ１０１〜ステップＳ１０９の処理と、ステップＳ１２２〜ステップＳ１２６の処理とは、送信ノード１０が行う処理である。また、ステップＳ１１０〜ステップＳ１２１の処理は、受信ノード２０が行う処理である。
【００３５】
（ステップＳ１０１）送信ノード１０が備える各部は、自身の障害状態や制御情報などを含む警報監視情報を監視部３００に入力する。その後、ステップＳ１０２の処理に進む。
（ステップＳ１０２）送信ノード１０の監視部３００は、送信ノード１０が備える各部から入力された警報監視情報を記憶部に記憶する。また、監視部３００は、入力された警報監視情報に基づいて自装置の動作状況を監視する。その後、ステップＳ１０３の処理に進む。
【００３６】
（ステップＳ１０３）送信ノード１０の監視部３００は、ステップＳ１０２で記憶部に記憶した警報監視情報のうち、受信ノード２０に送信する警報監視情報を抽出する。その後、ステップＳ１０４の処理に進む。抽出する方法としては、例えば、受信ノード２０に送信する条件を予め定めておき、この条件に合致した警報監視情報を受信ノード２０に送信する警報監視情報として抽出する。なお、受信ノード２０に送信する警報監視情報を抽出する方法はどのような方法でもよい。
【００３７】
（ステップＳ１０４）送信ノード１０の監視部３００は、主情報を送信する波長数が増加または減少するか否かを監視する。監視部３００は、主情報を送信する波長数が増加または減少しない場合、伝達情報受付部１０１に、ステップＳ１０３で抽出した警報監視情報を入力する。監視部３００は、主情報を送信する波長数が増加または減少する場合、主情報を送信する波長数が増加または減少するまで所定の時間（Ｘ秒）待機後、伝達情報受付部１０１に、ステップＳ１０３で抽出した警報監視情報を入力する。その後、ステップＳ１０５の処理に進む。ＯＡＤＭ系装置では波長数に合わせて、光信号全体の出力レベルを調整する仕組みとなっている。よって、主情報を送信する光信号の出力レベルは波長数に合わせて変動する。そのため、主情報を送信する光信号の出力レベルが一定となるまで待機する。
【００３８】
（ステップＳ１０５）送信ノード１０の伝達情報受付部１０１は、入力された警報監視情報に、スタートビットとエンドビットとを付加する。その後、ステップＳ１０６の処理に進む。
（ステップＳ１０６）送信ノード１０の伝達情報受付部１０１は、ステップＳ１０５で警報監視情報の開始を示す信号と警報監視情報の終了を示す信号とを付加した警報監視情報をデジタル信号に変換する。伝達情報受付部１０１は、デジタル信号を伝達情報強度変調部１０２に入力する。その後、ステップＳ１０７の処理に進む。
【００３９】
（ステップＳ１０７）送信ノード１０の伝達情報強度変調部１０２は、ステップＳ１０６で入力されたデジタル信号を変調して強度情報に変換し、増幅利得調整部１０３に入力する。その後、ステップＳ１０８の処理に進む。
【００４０】
（ステップＳ１０８）送信ノード１０の増幅利得調整部１０３は、入力された強度信号に基づいて、光増幅部１０６の利得を調整する。その後、ステップＳ１０９の処理に進む。
【００４１】
（ステップＳ１０９）送信ノード１０の光増幅部１０６は、波長によって多重化された主情報を変調した光信号の強度を増幅利得調整部１０３の調整に基づいて変化させ、この光信号を受信ノード２０に送信する。このとき光増幅部１０６が送信する光信号は、例えば、図５〜図７に示した信号である。その後、ステップＳ１１０の処理に進む。
【００４２】
（ステップＳ１１０）受信ノード２０の光信号分配部２０１は、送信ノード１０の光増幅部１０６から受信した光信号を、「主情報を受信するための光信号」と、「警報監視情報を受信するための光信号」とに分配する。また、光信号分配部２０１は、「主情報を受信するための光信号」を受光素子２０２に入力し、「警報監視情報を受信するための光信号」を光増幅部２０７に入力する。その後、ステップＳ１１１とステップＳ１１３の処理を行う。なお、「主情報を受信するための光信号」と「警報監視情報を受信するための光信号」とは、送信ノード１０の光増幅部１０６から受信した光信号を単純に２分配した信号であり、同一の情報を含む光信号である。
【００４３】
（ステップＳ１１１）受信ノード２０の光増幅部２０７は、「主情報を受信するための光信号」を受信する。その後、ステップＳ１１２の処理に進む。
（ステップＳ１１２）受信ノード２０の光増幅部２０７は、受信した「主情報を受信するための光信号」を増幅し、増幅した「主情報を受信するための光信号」を光波長分離部２０８に入力する。このとき、増幅利得調整部２０６は、出力信号強度の変動・強度が一定になるように光増幅部２０７の利得を調整し、送信ノードが変化させた光信号の強度を一定にする。これにより、送信ノード１０から光信号の強弱により送信された警報監視情報を消去することができる。なお、強度が一定に調整された光信号は、従来の処理と同様に処理される。具体的には、強度が一定に調整された光信号は、光波長分離部２０８で波長毎に分離される。波長毎に分離された光信号のうち、受信ノード２０宛に送信される波長の光信号は、光位相情報受信部２０９に入力され、その他の波長の光信号は、光波長多重部に入力される。
【００４４】
（ステップＳ１１３）受信ノード２０の受光素子２０１は、「警報監視情報を受信するための光信号」を受信する。受信できた場合はステップＳ１１４の処理に進み、受信できなかった場合はステップＳ１２２の処理に進む。
（ステップＳ１１４）受信ノード２０の受光素子２０１は、「警報監視情報を受信するための光信号」の強度情報を電気信号に変換し、強度認識部２０３と強度信号復調部２０４とに入力する。その後、ステップＳ１１５とステップＳ１１６の処理を行う。
【００４５】
（ステップＳ１１５）受信ノード２０の強度認識部２０３は、電気信号の強度を認識する。強度認識部２０３が認識した電気信号の強度は、送信ノード１０の光増幅部１０６が増幅した光信号の強度を示す。
（ステップＳ１１６）受信ノード２０の強度信号復調部２０４に、「警報監視情報を受信するための光信号」の強度情報を示す電気信号が入力される。強度信号復調部２０４に、「警報監視情報を受信するための光信号」の強度情報を示す電気信号が入力された場合はステップＳ１１７の処理に進み、入力されなかった場合はステップＳ１２２の処理に進む。
【００４６】
（ステップＳ１１７）受信ノード２０の強度信号復調部２０４は、「警報監視情報を受信するための光信号」の強度情報を示す電気信号をデジタル情報に復調し、伝達情報検知部２０５に入力する
（ステップＳ１１８）受信ノード２０の伝達情報検知部２０５に、「警報監視情報を受信するための光信号」の強度情報を示す電気信号を復調したデジタル情報が入力される。伝達情報検知部２０５に、デジタル情報が入力された場合はステップＳ１１９の処理に進み、入力されなかった場合はステップＳ１２２の処理に進む。
【００４７】
（ステップＳ１１９）受信ノード２０の伝達情報検知部２０５は、デジタル信号から警報監視情報を抽出し、監視部に入力する。その後、ステップＳ１２０の処理に進む。
（ステップＳ１２０）受信ノード２０の監視部３００は、入力された警報監視情報により、送信ノード１０の情報を認識する。その後、ステップＳ１２１の処理に進む。
【００４８】
（ステップＳ１２１）受信ノード２０の監視部３００は、警報監視情報を受信したことを通知する受信完了情報を送信ノード１０に送信する。その後、ステップＳ１２２の処理に進む。なお、受信ノード２０の監視部３００から送信ノード１０に受信完了情報を送信する方法はどのような方法でもよい。例えば、図１に示したとおり、各ノード間にはデータを送信するための光ファイバと、データを受信するための光ファイバとが設けられているため、受信ノード２０の監視部３００は、データを送信するための光ファイバを用いる通信方法で送信ノード１０に受信完了情報を送信する。
【００４９】
（ステップＳ１２２）送信ノード１０の監視部３００は、警報監視情報を受信ノード２０に送信後、所定の時間内（ｙ秒以内）に、受信ノード２０から受信完了情報を受信したか否かを判定する。送信ノード１０の監視部３００は、警報監視情報を受信ノード２０に送信後、所定の時間内に、受信ノード２０から受信完了情報を受信した場合、処理を正常終了し、受信していない場合、ステップＳ１２３の処理に進む。
【００５０】
（ステップＳ１２３）送信ノード１０の監視部３００は、警報監視情報を受信ノード２０に送信後、所定の時間（ｙ秒）が経過するまで処理を待機する。所定の時間が経過した後、ステップＳ１２４の処理に進む。
（ステップＳ１２４）送信ノード１０の監視部３００は、警報監視情報を送信した回数をカウントする（１つ増加させる）。その後、ステップＳ１２５の処理に進む。
【００５１】
（ステップＳ１２５）送信ノード１０の監視部３００は、警報監視情報の送信回数が所定の回数（ｚ回）以上であるか否かを判定する。送信ノード１０の監視部３００は、警報監視情報の送信回数が所定の回数以上であると判定した場合にはステップＳ１２６の処理に進み、所定の回数より少ないと判定した場合にはステップＳ１０４の処理に戻る。なお、ステップＳ１０４の処理に戻り、ステップＳ１０４以降の処理を再度実行することで、送信ノード１０の監視部３００は、再度警報監視情報を受信ノード２０に送信する。
【００５２】
（ステップＳ１２６）送信ノード１０の監視部３００は、受信ノード２０に警報監視情報を送信することができないことを示す情報を、送信ノード１０に対してデータを送信する他のノードに送信する。その後、保守者が以上を認識し、処理を終了する。
【００５３】
上述したとおり、本実施形態では、主情報を送信するための波長の光信号（主情報伝送用波長の光信号）は、強度変調方式以外の方式（例えば、位相変調方式）で変調された光信号であるため、光信号の出力レベルの変化は主情報に依存しない。そこで、送信ノード１０の伝達情報強度変調部１０２は、警報監視情報を強度変調方式で変調し、増幅利得調整部１０３は、伝達情報強度変調部１０２が変調した強度情報に基づいて、主情報伝送用波長の光信号の出力レベルを変動させることにより、受信ノード２０に警報監視情報を送信する。
【００５４】
また、受信ノード２０の光信号分配部２０１は、受信した主情報伝送用波長の光信号を「主情報を受信するための光信号」と、「警報監視情報を受信するための光信号」とに分配する。そして、受信ノード２０の受光素子２０１は、「警報監視情報を受信するための光信号」の強度情報を電気信号に変換し、強度信号復調部２０４は、電気信号を警報監視情報に復調する。これにより、警報監視情報を送信するための波長の光信号（警報監視情報伝送用波長の光信号）が必要なくなる。
【００５５】
従って、送信ノード１０の構成要素として、警報監視情報伝送用波長の光信号を生成するレーザダイオードが不要となるため、省電力化を実現できる。また、送信ノード１０の構成要素として、警報監視情報伝送用波長の光信号を主情報伝送用波長の光信号と合波する光波長合波部が不要となるため、主情報伝送用波長の光信号の損失が減少して品質が向上し、主情報伝送用波長の光信号の長距離伝送が可能となる。また、受信ノード２０の構成要素として、警報監視情報伝送用波長の光信号を電気信号に変換するための受光素子が不要となるため、省電力化を実現できる。また、受信ノード２０の構成要素として、警報監視情報伝送用波長の光信号と主情報伝送用波長の光信号とを分波する光信号分波部が不要となるため、主情報伝送用波長の光信号の損失が減少して品質が向上し、主情報伝送用波長の光信号の長距離伝送が可能となる。
【００５６】
なお、上述した実施形態における光通信システムが備える各装置を構成する各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００５７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５８】
以上、この発明の実施形態について図面を参照して詳述してきたが、具体的な構成はこの実施形態に限られるものではなく、この発明の要旨を逸脱しない範囲の設計等も含まれる。例えは、本実施形態では、警報監視情報を送受信する例を用いて説明したが、他の情報を送受信するようにしてもよい。
【符号の説明】
【００５９】
１〜４・・・ノード、５・・・ＯｐＳサーバ、６・・・ＤＣＮ、１０・・・送信ノード、２０・・・受信ノード、１０１・・・伝達情報受付部、１０２・・・伝達情報強度変調部、１０３・・・増幅利得調整部、１０４・・・光位相情報送信部、１０５・・・光波長多重部、１０６・・・光増幅部、２０１・・・光信号分配部、２０２・・・受光素子、２０３・・・強度認識部、２０４・・・強度信号復調部、２０５・・・伝達情報検知部、２０６・・・増幅利得調整部、２０７・・・光増幅部、２０８・・・光波長分離部、２０９・・・光位相情報受信部、３００・・・監視部
【図１】
2011146863.tif 000003
【図２】
2011146863.tif 000004
【図３】
2011146863.tif 000005
【図４】
2011146863.tif 000006
【図５】
2011146863.tif 000007
【図６】
2011146863.tif 000008
【図７】
2011146863.tif 000009
【図８】
2011146863.tif 000010
【図９】
2011146863.tif 000011
【図１０】
2011146863.tif 000012